(57)【要約】  モジュール式ベルトは、大きな開口面積を有するベルトモジュールからなる。このベルトは、移動式ウォータースクリーンとして使用されるに好適なものとなる。モジュールは、中間部分を有する。この中間部分は、格子状パターンを形成するリンク要素と横断要素の交差する組からなる。連続するリンク要素及び横断要素の壁によって境界付けされる開口部は、水の流れに対するチャネルを、ベルトを通して形成する。モジュールは、ヒンジロッドによって一緒に接続されて、ウォータースクリーンとして使用され得るベルトを形成する。流水から屑又は魚を持ち上げるための取り外し可能なフライト又はショベルは、ベースモジュールに対し取付可能である。【選択図】図１
2008531262.tif 000002
【特許請求の範囲】
【請求項１】
ウォータースクリーンベルトで使用するに好適なベルトモジュールであって、中間部分と、第１の複数のヒンジアイと、第２の複数のヒンジアイとを備え、
中間部分は、第１の端部から逆の第２の端部へ縦方向に、第１の側部から第２の側部へ横断方向に、そして頂部から底部へ深さ方向に延び、この中間部分は、少なくとも３つの薄い横断要素と、複数の薄いリンク要素とを有し、
少なくとも３つの薄い横断要素は、縦方向に離隔されると共に第１の側部から第２の側部へ横断方向に延び、中間部分の第１の端部に沿う第１の横断要素と第２の端部に沿う第２の横断要素は、他の一又は複数の横断要素を囲み、
複数の薄いリンク要素は、横断方向に離隔されると共に横断要素と交差して、横断要素及びリンク要素の格子を形成し、この格子は、２つの連続する横断要素及び２つの連続するリンク要素によって境界付けされる４辺を持つ開口部を規定すると共に中間部分の頂部から底部へ延び、
第１の複数のヒンジアイは、第１の横断要素から縦方向外側に延び、そして第２の複数のヒンジアイは、第２の横断要素から縦方向外側に延びることを特徴とするベルトモジュール。
【請求項２】
４辺を持つ開口部は、平行四辺形の形状である請求項１に記載のベルトモジュール。
【請求項３】
４辺を持つ開口部は、菱形の形状である請求項２に記載のベルトモジュール。
【請求項４】
４辺を持つ開口部は、矩形状である請求項２に記載のベルトモジュール。
【請求項５】
リンク要素は、横断要素に対し傾斜している請求項１に記載のベルトモジュール。
【請求項６】
横断要素の１つは、波形状を持つ請求項１に記載のベルトモジュール。
【請求項７】
各リンク要素は、中間部分の第１の端部では第１の複数のヒンジアイの１つと独得に関連付けられ、そして中間部分の第２の端部では第２の複数のヒンジアイの１つと独得に関連付けられる請求項１に記載のベルトモジュール。
【請求項８】
中央の横断要素は、中間部分の底部から延びた少なくとも１つの厚い横断突起を形成する請求項１に記載のベルトモジュール。
【請求項９】
中間部分の底部は、横断突起によって分割された湾曲凹部を形成する請求項８に記載のベルトモジュール。
【請求項１０】
奇数の横断要素を中間部分に備える請求項１に記載のベルトモジュール。
【請求項１１】
横断部材の断面は、矩形、丸い端部を持つ矩形、及びエーロフォイルからなる群から選択された形状を有する請求項１に記載のベルトモジュール。
【請求項１２】
リンク部材の断面は、矩形、丸い端部を持つ矩形、及びエーロフォイルからなる群から選択された形状を有する請求項１に記載のベルトモジュール。
【請求項１３】
モジュールは、少なくとも４０％の開口面積を有する請求項１に記載のベルトモジュール。
【請求項１４】
モジュールは、５０％以上の開口面積を有する請求項１３に記載のベルトモジュール。
【請求項１５】
第１の複数のヒンジアイの少数部分は、周期的に離隔された幅広ヒンジアイであり、各々は２つの連続するリンク要素の遠端に形成され、また各幅広ヒンジアイは、そのヒンジアイの下側遠端に平坦な駆動面を有して、他のヒンジアイの下側遠端よりも浅い角度を形成する請求項１に記載のベルトモジュール。
【請求項１６】
周期的に離隔された駆動ポケットを更に備え、各々は、第２の複数のヒンジアイの広く離隔された連続する２つのヒンジアイと、この２つのヒンジアイがそこから延びた横断要素とによって境界付けられる請求項１に記載のベルトモジュール。
【請求項１７】
ヒンジロッド保持器と、この保持器を受けるようにモジュールの第１の側部に形成された凹部とを更に備え、ヒンジロッド保持器は、突起と、タブとを有し、
突起は、第２の複数のヒンジアイ中の、モジュールの第１の側部に近いヒンジアイに沿って延びて、ヒンジロッドがヒンジアイから出ることを阻止し、
タブは、モジュールの第１の側部において連続する横断要素の端部間に形成されたチャネルに嵌入して、ベルトモジュールに対する保持器の運動を規制するものである請求項１に記載のベルトモジュール。
【請求項１８】
中間部分の頂部から直立すると共に整列した貫通孔を形成するポストの横断行と、
ポストと噛み合わされたときにポストの貫通孔と整列された孔を形成して横断通路を形成する取付構造を有した取付具と、
この通路内に収容されて取付具を中間部分の頂部に保持する接続ピンと
を更に備える請求項１に記載のベルトモジュール。
【請求項１９】
取付具は、フライトである請求項１８に記載のベルトモジュール。
【請求項２０】
取付部材は、機能要素が取り外し可能に取り付けられるアダプタである請求項１８に記載のベルトモジュール。
【請求項２１】
機能要素は、ショベルである請求項２０に記載のベルトモジュール。
【請求項２２】
配列された請求項１に記載の複数のヒンジピンと複数のベルトモジュールとを備え、１つのモジュールの第１の複数のヒンジアイは、隣接するモジュールの第２の複数のヒンジアイと噛み合わされて、噛み合わされたヒンジアイを通る横断通路をヒンジロッドの受け入れ用に形成し、モジュールの隣接する行同士を行間のヒンジジョイントで一緒に接続することを特徴とするモジュール式ウォータースクリーンベルト。
【請求項２３】
ウォータースクリーンベルトで使用するに好適なベルトモジュールであって、中間部分と、第１の複数のヒンジアイと、第２の複数のヒンジアイとを備え、
中間部分は、第１の端部から逆の第２の端部へ縦方向に、第１の側部から第２の側部へ横断方向に、そして頂部から底部へ深さ方向に延び、この中間部分は、
チャネルの複数の行及び列を規定する交差した壁の２組のグリッドワークを有し、各チャネルは各組の連続した壁によって境界付けされ、これらチャネルは中間部分の頂部から底部へ延び、
第１の複数のヒンジアイは、中間部分の第１の端部から縦方向外側に延び、そして第２の複数のヒンジアイは、中間部分の第２の端部から縦方向外側に延びることを特徴とするベルトモジュール。
【請求項２４】
各チャネルを境界付けする壁は、各々３／８インチ未満の長さである請求項２３に記載のベルトモジュール。
【請求項２５】
モジュール長方向に縦方向に、第１の側部から第２の側部へ横断方向に、そして頂部から底部へ深さ方向に延びた、ウォータースクリーンベルトで使用するに好適な、ベルトモジュールであって、複数の平行な概ね縦方向のリンクと、複数の平行な横断要素とを備え、
複数の平行な概ね縦方向のリンクは、各々が、ベルトモジュールの第１の端部では第１のヒンジアイ中で終端し、そして逆の第２の端部では第２のヒンジアイ中で終端し、
複数の平行な横断要素は、ベルトモジュールの第１の端部からベルトモジュールの第２の端部へ延びると共に格子状パターン内のリンクと交差してモジュールの中間部分を形成し、この中間部分は、交差したリンクと横断要素との間をモジュールの頂部から底部へ延びるチャネルの行及び列を有することを特徴とするベルトモジュール。
【発明の詳細な説明】
【技術分野】
【０００１】
［背景］
この発明は、一般に水の流れから屑又は魚を濾過するための移動式ウォータースクリーンに関し、特に移動式ウォータースクリーンとしての動作に好適なオープンエリア型モジュール式ベルトに関する。
【０００２】
多くの工業的プロセスは、川、湖、及び海からの水を使用する。工業プラントに取り込まれた水は、濾過されなければならない。これは、屑が設備を汚したり、損害を与えることがないようにするためである。ウォータースクリーンは、屑がプラントへ入る前に、流入する流水から屑を濾過して除去する。
【０００３】
モジュール式プラスチック製コンベヤベルトは、本来物品を運搬するために設計されたものであるが、移動式ウォータースクリーンとして使用され始めている。米国ルイジアナ州ハラハンのＩｎｔｒａｌｏｘ社によって製造、販売されているＩＮＴＲＡＬＯＸ（登録商標）シリーズ１８００メッシュトップベルトは、移動式ウォータースクリーンとして使用されるように設計されている。このベルトは、過酷な使用に耐えうるベルトであって、多数の狭い貫通スリットを有し、そこを通る水の流れは許容するが屑の流れは許容しないようになっている。狭いスリットは、このベルトを漁網として特に有用なものにする。この漁網は、小魚を危険なタービンブレードや他の潜在的に致命的な設備又は状況から遮る。多数のスリットにもかかわらず、ベルトの開口面積、即ちスリットによって占められるベルトの表面積は、ちょうど３２％である。緩やかに移動する流水では、このベルトはうまく働く。しかしながら、速く移動する流水、例えば吸引動作型冷却水インテークの上流では、このベルトは流れを阻止しすぎる。
【０００４】
かくして、大流量応用においてウォータースクリーンとして使用され得るモジュール式ベルトに対する要求がある。
【０００５】
［要約］
この要求及び他の要求は、この発明の特徴を具体化したモジュールで構成されたベルトを用いてウォータースクリーンを作ることによって満たされる。そのようなベルトモジュールの１つのバージョンは、第１の端部から逆の第２の端部へ縦方向に、第１の側部から第２の側部へ横断方向に、そして頂部から底部へ深さ方向に延びた中間部分を備える。この中間部分は、縦方向に離隔された少なくとも３つの薄い横断要素を有する。横断要素は、中間部分の第１の側部から第２の側部へ横断方向に延びる。中間部分の第１の端部に沿う第１の横断要素と中間部分の第２の端部に沿う第２の横断要素は、他の一又は複数の横断要素を囲む。複数の薄いリンク要素は、横断方向に離隔され、横断要素と交差して格子を形成する。交差する要素は、２つの連続する横断要素及び２つの連続するリンク要素によって境界付けされる４辺を持つ開口部を規定する。開口部は、中間部分の頂部から底部へ延びる。第１の複数のヒンジアイは、第１の横断要素から縦方向外側に延びる。第２の複数のヒンジアイは、第２の横断要素から縦方向外側に延びる。
【０００６】
ウォータースクリーンベルトを構築するに有用なベルトモジュールのもう１つのバージョンは、交差した壁の２組のグリッドワークを有する中間部分を備える。前記壁は、各々が各組の連続した壁によって境界付けされたチャネルの複数の行及び列を規定する。チャネルは、中間部分の頂部から底部へ延びる。第１の複数のヒンジアイは、中間部分の第１の端部から縦方向外側に延びる。第２の複数のヒンジアイは、中間部分の第２の端部から縦方向外側に延びる。
【０００７】
ベルトモジュールの更に他のバージョンは、複数の平行な概ね縦方向のリンクを備える。各リンクは、ベルトモジュールの第１の端部では第１のヒンジアイ中で終端し、そして逆の第２の端部では第２のヒンジアイ中で終端する。複数の平行な横断要素は、ベルトモジュールの第１の端部からベルトモジュールの第２の端部へ延びると共に格子状パターン内のリンクと交差する。交差したリンクと横断要素は、ベルトモジュールの中間部分を形成する。チャネルの複数の行及び列は、交差したリンクと横断要素の間をモジュールの頂部から底部へ延びる。
【０００８】
発明のこれらの特徴及び形態は、その利点と同様に、以下の説明、添付された請求の範囲、及び添付の図面を参照することによって一層良く理解される。
【０００９】
［詳細な説明］
ウォータースクリーンとしての使用に好適なモジュール式ベルト１０の一部分が図１及び２に示されている。図１は、ベルトの頂部又は外側の面１２を示し、図２は、ベルトの底部又は内側の面１３を示している（“頂部”及び“底部”という用語は垂直関係に限定されてはいないが、相対的配置を説明する利便性として使用されている）。図のベルトの部分は、シリーズに接続された３つのモジュール１４からなる。図３〜５にも示されているように、各モジュールは、格子状パターンを形成する交差した構造的部材の矩形中間部分１６を持つ。１組の構造的部材は、ベルト移動の方向２０に概ね縦方向に延びるリンク要素１８である。もう１組の構造的部材は、リンク要素と交差点２４で交差して格子状パターンを形成する横断要素２２である。格子内の４辺を持つ開口部２５は、連続するリンク及び横断要素の４つの壁２８，２９によって規定される。これらの壁は、開口部を、中間部分の深さを通して、チャネルの複数の行及び列中に延ばす。図に示された格子では、第１組の連続構造的部材は、第２組の連続構造的部材とほぼ直角に交差して、ほぼ矩形の開口部を整列された行及び列として形成するが、その代わりに、中間部分は、開口部毎にオフセットされた不連続な構造セグメントで形成されてもよい。このことは、壁付き開口部の同様の網状組織及び開口面積を与えるが、連続した開口部は、縦方向又は横断方向又は双方にジグザグにされる。交差したリンク及び横断要素は、開口部の寸法と比べて相対的に薄く、ベルトを通る良好な水の流れに対し、少なくとも４０％そして好ましくは５０％以上の大きな量の開口面積を与える。３／４インチ径の冷却水インテークパイプを詰まらせたり割り込んだりする屑を濾過するために、１つの開口部を境界付けする最長の壁の長さは、約３／８インチ未満であることが好ましい。格子状構造は、比較的小さな個別チャネルで大きな開口面積を与える。
【００１０】
図１〜５の例における平行な横断要素は、縦方向に離隔されると共に、モジュールの幅を横切って第１の側部３０から逆の第２の側部３１へ延びている。第１の横断要素２２’は、モジュールの中間部分の第１の端部３２を規定する。第１の横断要素と共に他の横断要素の全てを囲む第２の横断要素２２”は、中間部分の第２の端部３３を規定する。ヒンジアイ３４は、第１及び第２の横断要素から縦方向外向きに延びる。拡大されたヒンジアイ３４’は、モジュール上で周期的に離隔され、ベルトの組立中に、連続したモジュールにインデックス付けすることを助ける。拡大されたヒンジアイの側部から横断方向に延びた整列ストップ３６は、ベルトの組立中に整列された連続したモジュールのヒンジアイを保持して、連続したモジュールの噛み合ったヒンジアイを通る横断通路３８を形成することに使用される。それからヒンジロッド４０がその通路に容易に挿入されて、モジュールの連続した行間にヒンジジョイント４０を形成する。小さな横断ピッチによって分離された多数の横断方向に狭いヒンジアイは、むしろ少数の幅広ヒンジアイよりも、ヒンジロッドに沿って負荷を均一に分布させることに使用され、ロッドの最大変形、ベルトの延び、及びベルト長の損失を制限する。
【００１１】
ヒンジアイ３４は、図３に示すように、第１及び第２の横断要素に、リンク要素との交差部で接続することができる。この例では、各ヒンジアイは、関連したリンク要素の延長部と考えられる。その代わりに、ヒンジアイは、第１及び第２の横断要素の、リンク要素との交差部よりも横断方向にオフセットされた位置から延びてもよい。図３に示されたリンク要素はモジュールの縦方向に僅かに傾いているので、開口部は、矩形ではなく、平行四辺形を規定する。リンク要素間の横断方向間隔が横断要素間の縦方向間隔と同じである場合、開口は菱形を規定する。しかしながら、これらの形状の全ては、他と同様に、発明の範囲内にある。
【００１２】
図２及び３に示すように、モジュールは、奇数、例えば、３，５，７，９及びそれ以上の等間隔の横断要素を持つことが好ましい。この場合、中心横断要素２２’”は、モジュールの底部に沿って周期的に離れて配置された厚い横断突起４４を有する。これら横断突起は、突起の先端及び後端側に形成された駆動面４６，４７を持つ駆動歯として機能する。これら駆動歯は、図７に示すように、ドラム又はスプロケット４８と係合されて、ベルトを進める。モジュールの底部の各駆動歯部分に、凹部５０が形成されてスプロケットを収容する。突起４４は、この凹部を２つの区間に分割する。この結果、図４及び５に示すように、リンク要素１８と横断要素２２は、深さ方向に変化して、複数の凹部を形成する。例えば、図４に示すように、リンク要素のいくつか、例えばリンク要素１８’は深さ方向に一定であって、中間部分の頂部から中間領域の底部の最低レベルへ延びて、連続した凹部間に分割体を形成する。この分割体は、スプロケットとベルトトラックを助けて、ベルトとスプロケットが横断方向に蛇行しないようにする。横断要素２２は、図５に示すように、横断突起の近傍で異なる深さを持ち、湾曲した凹部５０を形成する。リンク及び横断要素の底部は湾曲した輪郭に追従するが、頂部は共平面的であって、平坦なベルト外面５２を形成することが好ましい。
【００１３】
図４及び５の各リンク要素又は横断要素の断面は、丸み付けされたか又は鈍い端部５４を有した矩形の形状である。丸み付けされた矩形形状５６は、図６の中間に示されている。リンク及び横断要素は、その代わりに、矩形形状５８又はエーロフォイル形状６０を持つこともできる。鈍い矩形及びエーロフォイルは、ベルトを通る水の流れに対し、平坦な矩形よりも少ない抵抗を与える。この改良された水力学的性能は、これら２つの形状を大流量条件で好ましいものとする。
【００１４】
ウォータースクリーンとして使用可能なもう１つのモジュール式ベルト８０の一部分が、図８及び９に示されている。このベルトは、内部モジュール８２と、エッジモジュール８３（短８３’及び長８３”）とを有する。このベルトの一方の側部だけが図８及び９に示されているので、ベルトの一方の外側エッジ８４だけが図示されている。図１及び２のベルトと同様に、このベルトはモジュール式で、ヒンジロッドによりヒンジジョイントで接続される。異なる幅のエッジモジュールは、強度のために、ベルトが煉瓦積みパターンで構築されることを可能にする。
【００１５】
図１及び図８のモジュール間の構造的相違点は、図１０及び１１の平面図に図示された内部モジュール８２に最も良く示されている。第１組のリンク要素８６は、第１のヒンジアイ８８からモジュールの第１端部９０に沿って縦方向内向きに延びる。第２組のリンク要素８７は、第２のヒンジアイ８９からモジュールの逆の第２端部９１に沿って縦方向内向きに延びる。第１組のリンクは、第２組のリンクから横方向にオフセットされていることが好ましい。第１及び第２の組は、横断接合要素９２の互いに逆の側部で内向きに終端する。モジュールの開口面積を増加するために、接合要素は、郵便受ドア形状の開口部９４を形成する波形状をいずれの側部にも持つことが好ましい。しかし、直線的接合要素がその代わりに使用されてもよい。第１の横断要素９６は、第１端部と接合要素の間で第１のリンク要素８６と交差して、格子状パターンを形成する。第２の横断要素９７は、第２のリンク要素８７と交差して、モジュールの第２端部と接合要素の間に格子状パターンを形成する。２つの隣接する第２のリンク要素の遠端にある幅広ヒンジアイ８９’は、モジュールの第２端部に沿って周期的に離れて配置されている。第１組のヒンジアイの隣接するヨークヒンジアイ８８’は、隣接するモジュールの幅広ヒンジアイを受け入れるに十分広いギャップ８９だけ分離されている。モジュールの第２端部に沿った幅広ヒンジアイは、モジュールの第１端部に沿ったギャップと整列している。
【００１６】
図１２に示すように、幅広ヒンジアイ８９’の下側遠方エッジは、平坦な駆動面１００を他のヒンジアイ８９の下側エッジよりも浅い角度で形成する。この浅い角度は、駆動面と駆動スプロケットの歯１０２の間の係合中の接触面積を増大すると共に、点接触及び関連する摩耗を低減する。駆動ポケット１０４が、ヨークヒンジアイ８８’と接合要素９２の間のモジュールの下側に形成されて、スプロケットの歯を収容する。図１のベルトとは異なり、図１０〜１２のモジュールで作られたベルトは、幅広ヒンジアイ８９’の駆動面１００上のヒンジで駆動される。
【００１７】
図１３に示すように、エッジモジュール８３は、内部モジュール８２と同様に構成されている。しかし、このモジュールの外側エッジ８４は、取り外し可能なヒンジロッド保持器１０８用の凹部１０６を有する。保持器は、この凹部内に駐在する。保持器上の長尺なポスト１１０，１１１は、凹部の底部を規定するシェルフ１１３上に留まる。保持器上のタブ１１５は、横断要素の端部によってモジュールの外側エッジに形成されたチャネル１１９中に嵌入して、保持器が縦方向に移動すること並びに回転することを防止する。締結具、例えばネジ付き開口部１１４内に受け入れられるボルト又はネジ１１２は、保持器をモジュールに取り付ける。保持器の前部上の突起１１６は、最外側のフロントヒンジ孔１１８を覆って、ヒンジロッド４０がベルトのその側部を超えて移動することを防止する。保持器の後部は、凹状面１１７を有して、後端行の保持器の突起を収容する。保持器は、平坦な外面１２０を有して、もつれを回避する面一な外側エッジをベルトに与える。
【００１８】
図１４に示すように、ベルトモジュール１２２は、取付部材、例えばフライト（回転羽根）をモジュールに取り付けるための横穴１２６が設けられた直立ポスト１２４の中央行を有する。ぶら下がった脚部１３０付きのフライト取付具１２８は、同様の横方向に整列した孔１３２を有する。脚部のテーパ付き端部１３４は、連続したポスト間のモジュールの頂部にあるテーパ付き凹部１３６内に駐在する。接続ピン１３８は、ポストの整列した孔及びフライトの脚部を通って延び、それを定位置に保持する。フライトは、損傷した場合に、容易に交換され得る。フライトは、ウォータースクリーンの上流面に衝突する屑を水から持ち上げて取り除くように機能する。フライトのベースモジュール１２２は、各行に設置され得るが、数行離れて配置されることが好ましい。標準モジュール８２は、フライトのないベルト行で使用される。
【００１９】
水流から魚をすくうことに使用可能なもう１つの取付具が、図１５に示されている。ショベル又はバケツ１４０は、ベースモジュール１２２に付属する。このショベルは断面が概ねＣ形状で、ウォータースクリーンの上流面に沿って上向きとなる開口部１４２を有する。ショベルは、取付部材、例えばベースモジュールに乗るアダプタ１１４に付属する。このアダプタは、ベースモジュール上に座す複数組の平行な縦方向翼を有する。クロス要素１４７は、構造的一体性をモジュールに加え、また最外側のクロス要素から延びたバットレス１４８は、更なる支持を与える。各翼の底部中央に配置された歯１４９は、ベースモジュールの凹部１３６内に収容される。孔１５２付きのボス１５０は、翼の各側部から延びている。連続した翼上の対面するボスは、ポスト１２４を収容するように離隔されたギャップ１５４だけ分離されている。ポストの孔１２６と整列したボスの孔によって、接続ピン１３８は、整列された孔によって形成された通路内に受け入れられ、これによりアダプタを取り外し可能にベースモジュールに対し保持する。ショベル内の開口部１５６を通ってアダプタのネジ付き孔１５８中に延びたボルト又はネジ１１２は、ショベルをアダプタに対し保持する。接近孔１６０は、ネジ回しがネジの頭部に接近できるようにする。多数のショベル要素は、ウォータースクリーンの幅を横切って取付られる。スクリーンの外側のショベル要素は、端板１６２を有して、ショベル内に魚を閉じ込める。内部ショベル要素は、端板を有することができるが、ウォータースクリーンのエッジでだけ閉鎖された長いショベルを形成するためには、開放端部型であることが好ましい。ショベル以外の他の機能要素、例えばフック、スパイク、又はポストは、一般的アダプタに取付可能である。
【００２０】
モジュール及び取付具の全ては、射出成型プロセスで熱可塑性ポリマーにより成型されることが好ましい。フライト、そして特に、ショベルは、その代わりに金属で作ることができる。典型的な熱可塑性ポリマーには、ポリプロピレン、ポリエチレン、アセタール、ナイロン、及び複合材料がある。複数のモジュールは一緒に複数の行に、好ましくは強度のために煉瓦積みパターンに接続される。成型又は押出形成された熱可塑性ポリマー又は複合材料によって製造されたり、或いはステンレス鋼によって製造された接続ピン及びヒンジロッドは、取付具をモジュールに取付ると共に、複数行のベルトモジュールを一緒に接続して無端ベルトループにする。
【００２１】
図１６に示すように、ベルトループ１０は、上側ヘッドシャフト６２と下側ブートシャフト６４上のスプロケット４８又はドラム６１（スプロケットは図示せず）を中心として回される。ヘッド駆動シャフトに結合されたモータは、ベルトを矢印６６の方向に進める。ベルトは、図１のようなモジュールと、図１４のようなフライトモジュール６８とを有する。モジュールの格子構造は、ベルトを移動式ウォータースクリーンとして使用するのに好適なものにする。ウォータースクリーンは、その主たる上流面７０が概ね水流の流れ７２に対して直角になるように、垂直に配置されることが好ましい。ベルトの開口面積は、水流がそこを通って流れることを可能にし、そして格子は、魚及び屑を阻止する。フライトは、ウォータースクリーンベルトが進行するに従い、阻止された屑を水流から持ち上げる。
【００２２】
かくして、大流量条件で有用な効果的なウォータースクリーンがモジュール式コンベヤベルトを使用して建造される。
【００２３】
この発明は２〜３の好ましいバージョンに関して説明されたが、他のバージョンも可能である。例えば、ベルトモジュールは、偶数の横断要素と、図示されたものとは異なる駆動構造を有することができる。更には、ベルトは、ウォータースクリーン以外でも有用である。例えば、ベルトを通る空気又は他の流体の流れを必要とする応用は、説明されたモジュール式ベルトを使用することができる。それ故、これらの例が示唆するように、請求の範囲は、詳細に説明された好ましいバージョンに限定されるべきではない。
【図面の簡単な説明】
【００２４】
【図１】発明の特徴を具体化したモジュールで構成されたスクリーンベルトの、ヒンジアイの先端及び後端の組間の駆動面を含んだ部分の頂部等角図である。
【図２】図１のスクリーンベルトの前記部分の底部等角図である。
【図３】図１のようなスクリーンベルト用のモジュールの頂部等角図である。
【図４】図３のモジュールの線４−４に沿う断面図である。
【図５】図３のモジュールの線５−５に沿う断面図である。
【図６】図４のモジュールのようなリンク及び横断要素の３つの代替断面図を示す。
【図７】図１のようなベルトの、駆動又はアイドル用スプロケット又はドラムを中心として節動する部分の立側面図である。
【図８】発明の特徴を具体化したモジュールで構成されたスクリーンベルトのもう１つのバージョンの１シルの、幅広ヒンジアイ上の駆動面を含んだ部分の頂部等角図である。
【図９】図８に示されたスクリーンベルトの前記部分の底部等角図である。
【図１０】図８のスクリーンベルトの中間部分の頂部等角図である。
【図１１】図１０の内部モジュールの底部等角図である。
【図１２】図１０のモジュールの図１０の線１２−１２に沿う断面図である。
【図１３】図８のスクリーンベルトのエッジモジュールの分解図である。
【図１４】図８のスクリーンベルトで使用できる取り外し可能なフライトを持つ内部ベースモジュールの分解図である。
【図１５】図８のスクリーンベルトで使用できる取り外し可能なショベルを持つ内部ベースモジュールの分解図である。
【図１６】図１又は図８のベルトを使用するウォータースクリーンシステムの一部分の等角図である。
【符号の説明】
【００２５】
１０      モジュール式ベルト
１２      ベルトの頂部又は外側の面
１４      モジュール
１８      リンク要素
２０      ベルト移動の方向
２２      格子状パターンを形成する横断要素
３８      ヒンジアイを通る横断通路
【図１】
2008531262.tif 000003
【図２】
2008531262.tif 000004
【図３】
2008531262.tif 000005
【図４】
2008531262.tif 000006
【図５】
2008531262.tif 000007
【図６】
2008531262.tif 000008
【図７】
2008531262.tif 000009
【図８】
2008531262.tif 000010
【図９】
2008531262.tif 000011
【図１０】
2008531262.tif 000012
【図１１】
2008531262.tif 000013
【図１２】
2008531262.tif 000014
【図１３】
2008531262.tif 000015
【図１４】
2008531262.tif 000016
【図１５】
2008531262.tif 000017
【図１６】
2008531262.tif 000018
【国際調査報告】
2008531262.tif 000019
2008531262.tif 000020
2008531262.tif 000021
2008531262.tif 000022